(57)【要約】【課題】頭皮に櫛歯先端を常に平行に当てることができる使い勝手のよい櫛付きキャップを提供すること。【解決手段】スクイズ性を有する容器本体の上部口部に取り付けられた櫛付きキャップを、口部に螺合する基台と、櫛歯を有する櫛歯部とから構成し、櫛歯部を容器本体の中心軸に対して所定角度傾斜した軸を中心軸として基台に回動自在に組み付けた。これにより、櫛歯部を基台に対して回動させることにより、櫛歯の向きを容器本体の中心軸から傾斜させることができ、容器本体を斜めに頭皮に当てても櫛歯先端を頭皮に平行に当てることができ、塗布の際の使い勝手を良好にできる。【選択図】  図１
2004344293.tif 000002
【特許請求の範囲】
【請求項１】
先端部に開口を有する櫛歯を備え、容器本体の口部に組み付けて内容液を前記開口から注出させる櫛付きキャップにおいて、
前記櫛歯を櫛歯部に立設し、
該櫛歯部を前記容器本体の口部に組み付けられる基台に前記容器本体の中心軸に対して傾斜した回転軸を中心に回動自在に支持させるとともに前記基台に対して前記回転軸方向に出退可能とし、
かつ前記櫛歯部の後退時に嵌合し該櫛歯部を前記基台に係止する係合部材を備えたことを特徴とする櫛付きキャップ。
【請求項２】
前記係合部材は、少なくとも前記櫛歯の立設方向を前記容器本体の中心軸に平行とした状態と、かかる状態から前記櫛歯部を半回転した状態で、該櫛歯部を前記基台に係止することを特徴とした請求項１に記載の櫛付きキャップ。
【発明の詳細な説明】
【０００１】
【発明の属する技術分野】
本発明は、容器本体に組み付け、容器本体内に収容された例えば白髪染め液、ヘアマニキュア、整髪料等の内容液を櫛歯から注出させて頭髪に塗布する櫛付きキャップに関する。
【０００２】
【従来の技術】
櫛付きキャップは、連通孔を内部に有する櫛歯をキャップ体に複数立設し、キャップ体を容器本体の口部に組み付け、容器本体内に収容されている例えば白髪染め液、ヘアマニキュア、整髪料等の内容液を櫛歯に設けられた開口から吐出させ、櫛歯で頭髪を梳かすと櫛歯に吐出された内容液が頭髪に塗布されるようになっている。（例えば、特許文献１参照）。
【０００３】
【特許文献１】
特開２００２−２２３８４１号公報。
【０００４】
【発明が解決しようとする課題】
しかしながら従来の櫛付きキャップは、櫛歯の先端が容器本体に垂直に並べられているため、容器本体を斜めに頭皮に当てると一方の側の櫛歯が頭皮から浮いてしまい、髪の根元に内容液を塗布しにくくなる場合がある。そのため、櫛歯の先端が常に頭皮に当るように容器本体を頭皮に垂直に保持して髪を梳く必要があった。
【０００５】
本発明は、容器本体を斜めの方向から頭皮に当てても櫛歯の先端面を頭皮と平行にして梳くことができる使い勝手の良い櫛付きキャップを提供することを目的とする。
【０００６】
【課題を解決するための手段】
本発明では、上記課題を解決するため次のように櫛付きキャップを構成した。
【０００７】
請求項１に記載の発明によれば、先端部に開口を有する櫛歯を備え、容器本体の口部に組み付けて内容液を開口から注出させる櫛付きキャップにおいて、櫛歯を櫛歯部に立設し、櫛歯部を、容器本体の口部に組み付けられる基台に容器本体の中心軸に対して傾斜した回転軸を中心に回動自在に支持させるとともに基台に対して回転軸方向に出退可能とし、かつ櫛歯部の後退時に嵌合し櫛歯部を基台に係止する係合部材を備えて櫛付きキャップを構成した。これにより、櫛歯部を回転させて櫛歯を容器本体に対して傾斜させるとともに、櫛歯部を所定の位置で基台側に押し込むことにより、係合部によって櫛歯部の回転を係止して、櫛歯を安定させて用いることができ、容器本体を頭皮に斜めに当てても櫛歯の先端面を頭皮に平行に当てて髪を梳かすことができる。
【０００８】
請求項２に記載の発明によれば、請求項１に記載の櫛付きキャップにおいて、係合部材は、少なくとも櫛歯の立設方向を容器本体の中心軸に平行とした状態と、かかる状態から櫛歯部を半回転した状態で、櫛歯部を係止することとした。これにより、櫛歯を直立させた通常の状態に加え、櫛歯を傾斜させた状態で安定した使用が可能となる。
【０００９】
【発明の実施の形態】
本発明にかかる櫛付きキャップの一実施形態を図面を参照して説明する。
【００１０】
櫛付きキャップ２は容器本体３の口部５に取り付けてあり、図１、図４に示すように、櫛付き容器１を構成する。櫛付き容器１は、容器本体３内に白髪染め剤などの内容液が収納されている。
【００１１】
容器本体３（二点鎖線で示す。）は、合成樹脂からなる円筒状の容器で、適度な押圧力で変形、復元するスクイズ性を有し、上部には外周に螺旋状の突条６が形成された口部５が設けられている。
【００１２】
櫛付きキャップ２は図２に示すように、口部５に螺合する基台７と、櫛歯４を備えた櫛歯部８とから形成されている。
【００１３】
基台７は、円筒状のキャップ体１０と、キャップ体１０の上部に設けられた支持体９からなり、キャップ体１０の内周面に形成された螺旋状の突条１４が容器本体３の口部５に螺合し、支持体９の内周面に櫛歯部８が回動自在に嵌合している。
【００１４】
支持体９は、櫛歯部８を支持している回転軸の中心が容器本体３の中心に対して５度から４５度程度、好ましくは１５度から３５度程度傾斜している。また、支持体９の外周部には図２に示すように係合部材としての一対の係止片１３が支持体９の中心軸を中心に対向して設けてある。
【００１５】
櫛歯部８の頂壁１２上には、図４に示すような扁平で内部に連通孔１５が形成された櫛歯４が複数植設されている。連通孔１５は図１に示すように上端で櫛歯４の表裏面に開口し、下端で頂壁１２を貫通して容器本体３内に連通している。
【００１６】
櫛歯部８は、下側に支持筒体９に回動自在に嵌合する回転筒体１１を備えている。回転筒体１１は、支持体９の回転支持軸の傾斜角と同一角度で傾斜しており、支持体９によって回動自在に支持されるとともに回転筒体１１の下端に形成された凸部２１まで回転軸に沿って出退可能となっている。
【００１７】
また回転筒体１１の外周部には、係止具１３に嵌合する一対の係止具１８が設けられ、回転筒体１１を支持体９から引き上げると、図２に示すように係止具１３と係止具１８との係合が外れ櫛歯部８を回動自在とし、櫛歯４が容器本体３の中心軸と平行な方向を向いたときと、かかる状態から１８０度櫛歯部８を回動させた位置で櫛歯部８を基台７に押し込むと係止具１３と係止具１８とが係合し、櫛歯部８の回動が係止される。尚、係止具１３と係止具１８とが係合する位置、及びそれらの設置数は上記例に限るものではなく、複数の位置で櫛歯部８を基台７に係止するようにしてもよい。
【００１８】
次に、櫛付きキャップ２の作用について説明する。
【００１９】
櫛付き容器１を下向きにした状態で櫛歯４の開口から内容液を吐出させ、櫛歯４で頭髪を梳くと、内容液が頭髪に付着され通常通り櫛歯４が容器本体３と平行な櫛付き容器１で内容液が頭髪に塗布される。
【００２０】
一方櫛歯部８を基台７から引き上げると、図２に示すように係合片１３と係合片１８の係合が外れ、櫛歯部８が基部７に対して回動自在となるので、櫛歯部８を１８０°回転させて櫛歯４を傾斜させる。そして再度基台７に押し込むと図３に示すように、容器本体３に対して櫛歯４が傾斜した状態で保持されるので、この状態で容器本体３の側面を押圧して内容液を吐出させて髪を梳くと、頭頂部など櫛歯４の先端面を頭皮に平行に当てにくい箇所にも容易に内容液を髪の根元まで塗布することができる。
【００２１】
このように櫛付きキャップ２は、容器本体３に対して傾斜させた櫛歯４を安定させることができるので、頭頂部や後頭部など櫛歯４の先端面を頭皮に平行に当てにくい場合であっても、櫛歯部８を回動させて容器本体３に対して櫛歯４を所定角度傾斜させることにより内容液を頭髪に容易に塗布することができる。
【００２２】
【発明の効果】
本発明の櫛付きキャップは、次のように効果を有している。
【００２３】
請求項１に記載の発明によれば、先端部に開口を有する櫛歯を備え、容器本体の口部に組み付けて内容液を開口から注出させる櫛付きキャップにおいて、櫛歯を櫛歯部に立設し、櫛歯部を、容器本体の口部に組み付けられる基台に容器本体の中心軸に対して傾斜した回転軸を中心に回動自在に支持させるとともに基台に対して回転軸方向に出退可能とし、かつ櫛歯部の後退時に嵌合し櫛歯部を基台に係止する係合部材を備えて櫛付きキャップを構成したので、櫛歯部を回転させて櫛歯を容器本体に対して傾斜させるとともに、櫛歯部を所定の位置で基台側に押し込むことにより、係合部によって櫛歯部の回転を係止して櫛歯を安定させることができる。したがって、容器本体を斜めに頭皮に当てても櫛歯の先端面を頭皮に平行に当てて髪を梳かすことができ、内容液を頭髪に容易に塗布することができる。また、櫛歯部を基台から引き上げることで回動が自在となるので、櫛歯を容易に傾斜させることができる。
【００２４】
請求項２に記載の発明によれば、請求項１に記載の櫛付きキャップにおいて、係合部材は、少なくとも櫛歯の立設方向を容器本体の中心軸に平行とした状態と、かかる状態から櫛歯部を半回転した状態で、櫛歯部を係止することとしたので、櫛歯を直立させた通常の状態に加え、傾斜させた状態での櫛歯を安定させることができる。
【図面の簡単な説明】
【図１】本発明にかかる櫛付きキャップを備えた櫛付き容器の一実施形態を示す一部断面図である。
【図２】本発明にかかる櫛付きキャップを示す一部断面図である。
【図３】本発明にかかる櫛付きキャップを示す一部断面図である。
【図４】櫛付き容器を示す側面図である。
【符号の説明】
１  ；  櫛付き容器
２  ；  櫛付きキャップ
３  ；  容器本体
４  ；  櫛歯
５  ；  口部
６  ；  突条
７  ；  基台
８  ；  櫛歯部
９  ；  支持体
１０；  キャップ体
１１；  回転筒体
１２；  頂壁
１３；  係止具
１４；  突条
１５；  連通孔
１８；  係止具
２１；  凸部
【図１】
2004344293.tif 000003
【図２】
2004344293.tif 000004
【図３】
2004344293.tif 000005
【図４】
2004344293.tif 000006